(57)【要約】【課題】レンズホルダに薄肉部を形成することなく、且つ、レーザビームの周縁光に影響されることなく正確なビームスポットを形成するようにして薄型化された信頼性の高い光ピックアップ装置を提供する。【解決手段】対物レンズ４を保持したレンズホルダ１をムービングコイル方式により駆動制御し、この対物レンズ４を変位させて光ディスクに対するレーザビームの照射位置を調整するようにした光ピックアップ装置であり、前記レンズホルダ１に形成した対物レンズ４を保持する開口１ａにおける立ち上げミラー１０に最も接近する位置に切欠部１ｄを形成し、さらにこの切欠部１ｄを封止する遮光リングＲを配置して対物レンズ４を固定する。【選択図】      図１
2004296039.tif 000002
【特許請求の範囲】
【請求項１】
対物レンズを保持したレンズホルダをムービングコイル方式により駆動制御し、この対物レンズを変位させて光ディスクに対するレーザビームの照射位置を調整するようにした光ピックアップ装置であり、
前記レンズホルダに形成した対物レンズを保持する開口における立上げミラーに最も接近する位置に切欠部を形成し、さらにこの切欠部を封止する遮光リングを配置して対物レンズを固定するようにしたことを特徴とする光ピックアップ装置。
【発明の詳細な説明】
【０００１】
【発明の属する技術分野】
本発明は、各種コンピュータシステムなどにおいて大量の情報を記録するための記録媒体である光ディスク（例えば、ＣＤ−Ｒ／ＲＷ、ＤＶＤ−Ｒ／−ＲＷ／ＲＡＭ／＋Ｒ／＋ＲＷなど）をドライブするディスク装置の光ピックアップの改良に関する。
【０００２】
【従来の技術】
一般に、パーソナルコンピュータ（以下、パソコンという）は、光ディスクへの情報の記録または光ディスクから情報を再生するため、この光ディスクをドライブするディスク装置を欠かすことができず、パソコン本体に内蔵するか、いわゆる外付けとしてケーブルで接続するようにしている。
【０００３】
近年、このような目的で生産されているディスク装置は、記録密度の高度化ならびに読出速度、書込速度などの高速化に伴い精度、信頼性を高くすることが要求されている。また、ノート型パソコンにおいては、薄型化が強く要求されており、ディスク装置においても薄型化に寄与できるように機構要素の各部分の改良がなされている。
【０００４】
図４は、ディスク装置を内蔵したノート型パソコンの外観を示すもので、通常、ディスク装置１０１はパソコン本体の側部に内蔵され、スイッチ操作あるいはパソコン本体からの指令によりディスクトレイ１０２のベゼル１０３がポップアウトし、さらにパソコンの使用者がディスクトレイ１０２を引き出し、光ディスクＤを装填するようにしている。
【０００５】
図５は、このような従来のディスク装置１０１の外観を示すもので、ディスクトレイ１０２は光ディスクＤを収容するため浅皿状に形成されており、その中央に、直下に配したスピンドルモータ１０４の駆動軸に固定されたターンテーブル１０５が配置され、このターンテーブル１０５のクランプヘッド１０６で光ディスクの中心孔をクランプし、回転力を伝達するようにしている。
【０００６】
符号１０７はヘッドユニットであり、ディスクトレイ１０２の裏面に構成された駆動機構により全体がディスクトレイ１０２の直径方向に往復動し、その対物レンズ１０７ａから光ディスクにレーザビームが照射される。このように構成されたディスクトレイ１０２は、その両側がガイドレール１０８により遊嵌状態で支持されており、このガイドレールはシャーシケース１０９に固定された支持レールにスライド可能に支持されている。これにより、ディスクトレイ１０２はシャーシケース１０９内で前進後退し、ロード／アンロードが可能となる。
【０００７】
このように構成されたディスク装置におけるヘッドユニットの光ピックアップの構成例を図６に示す。同図の構成は、光ピックアップ装置Ａ、ＤＶＤ用半導体レーザ素子ＢおよびＣＤ用半導体レーザ素子Ｃを配置し、前記各レーザ素子から発射された光ビームは、複数のミラー系、レンズ係の光学部品を介して光ピックアップ装置Ａの対物レンズ４まで光路が形成されるようにしている。
【０００８】
前記光ピックアップ装置Ａは図７に示すごとく、レンズホルダ１がサスペンションホルダ２にサスペンションワイヤ３により片持支持されている。前記レンズホルダ１は中央に対物レンズ４を保持し、この対物レンズ４を中心に上下対象にコイル収容部５・６が形成されている。そしてこのコイル収容部５・６にはフォーカスコイル７ａ・７ｂとトラッキングコイル８ａ・８ｂ・８ｃ・８ｄが収容されている。なお、フォーカスコイル７ａ・７ｂとトラッキングコイル８ａ・８ｂ・８ｃ・８ｄは接着剤で固定されており、さらに両コイルはコイル収容部５・６内で接着剤により固定されている。
【０００９】
また、端部にサスペンションホルダ２を固定するヨークベース１１は、他端に起立させたヨーク片１３・１４を設け、一方のヨーク片１３に永久磁石１５を固定する。これにより永久磁石１５とヨーク片１４との間に磁気回路が形成され、この磁気回路にフォーカスコイル７ａ・７ｂおよびトラッキングコイル８ａ・８ｂ・８ｃ・８ｄを介在させて配置する。
【００１０】
つぎに、サスペンションワイヤ３の端部で支持されるレンズホルダ１は、図８に示すごとく対物レンズの下面に空間が形成されるように箱形に形成されており、前記空間内にヨークベースの下方に配された枠体（図示せず）に固定された立上げミラー１０が収容される。そして、この立上げミラー１０を前記空間内で高位置に配置できるようにするため、レンズホルダ１の内壁面に逃げ溝１２が形成されており、立上げミラー１０の頂部１０ａがこの逃げ溝１２に入り込むように構成されている。これにより、フォーカスサーボによりレンズホルダ１が降下しても、逃げ溝１２によりその距離を十分に得ることができるので、相対的に立上げミラー１０を高い位置に配置することができ、光ピックアップ装置全体の薄型化に寄与することができる（例えば、特許文献１参照）。
【００１１】
ところで、レンズホルダと立上げミラーとの接触を防止するため、対物レンズの焦点距離を長くすることも考えられるが、焦点距離を長くすることにより、レンズホルダの制御が物理的に難しくなり、対物レンズと光ディスクが接触してしまう危険がある。また、焦点距離を短くした場合は、対物レンズが小さくなるため、レンズ形状に変化が起こり易くなり、収差が発生してビームスポットの形状の劣化やビーム光の利用効率を低下し、光ピックアップ装置の性能低下に繋がることになる。
【００１２】
また、レンズホルダと立上げミラーの接触を防止するための他の方法として、立上げミラーの高さを小さくすることが考えられる。しかしながら、この方法による場合は、立上げミラーの受光面のマージンを十分にとることができなくなり、光ディスクへ導くレーザビームおよび光ディスクから反射回折されたレーザビームが欠損してしまい、信号品質を劣化させてしまうことになる。
【００１３】
【特許文献１】
特願２００１−３０３９９０
【００１４】
【発明が解決しようとする課題】
そこで従来のレンズホルダでは、上述したように立上げミラーの頂部に対応する位置に逃げ溝を形成するようにしたのであるが、通常、合成樹脂で一体成形されるレンズホルダでは、この逃げ溝部分が肉薄となるため、成型時のいわゆる樹脂回りが悪く、成型形状が乱れ一定した成型精度を保つことができない。
【００１５】
このような問題から本願出願人は試行錯誤の結果、逃げ溝部分を貫通させた切欠部を形成するようにしたのであるが、この場合は、レーザビームの周縁光がこの切欠部から漏出してしまい正確なビームスポットを形成できないという問題を生じてしまうこととなった。
【００１６】
本発明はかかる従来の問題に鑑みなされたもので、レンズホルダの成型上問題となる薄肉部の形成を回避するとともに、正確なビームスポットの形成が可能となるようにしたもので、これにより、信頼性を維持しつつ光ピックアップ装置の薄型化を実現できるようにすることを目的としたものである。
【００１７】
【課題を解決するための手段】
そこで本発明は、以下に述べる手段により上記課題を解決するようにした。即ち、対物レンズを保持したレンズホルダをムービングコイル方式により駆動制御し、この対物レンズを変位させて光ディスクに対するレーザディスクの照射位置を調整するようにした光ピックアップ装置であり、前記レンズホルダに形成した対物レンズを保持する開口における立上げミラーに最も接近する位置に切欠部を形成し、さらにこの切欠部を封止する遮光リングを配置して対物レンズを固定するようにする。
【００１８】
【発明の実施の形態】
以下、本発明の実施の形態を図にもとづいて詳細に説明する。なお、実施例において従来の構成と共通する部分には同一の符号を付してその説明を省略する。
【００１９】
図１は、本発明によるレンズホルダ１における対物レンズ４の取付状態を示す断面斜視図であり、このレンズホルダ１の開口１ａの外周に、対物レンズ４の外周のフランジ部４ａが嵌合する溝段部１ｂが形成され、さらにこの溝段部１ｂより小径の溝段部１ｃが形成されている。さらに、前記溝段部１ｃの立上げミラー１０の１０ａに最も接近する位置に切欠部１ｄが図２に示す状態で形成されている。
【００２０】
このように形成されたレンズホルダ１において、対物レンズ４を組み込んで固定する場合は、まず、厚さの十分薄い遮光リングＲを前記溝段部１ｃに装着する。なお、この遮光リングＲは、レーザビームの透過を阻止できるものであれば特に金属に限られないが、肉薄の加工に適した材質であったほうがよい。そして、図３に示すように遮光リングＲを装着した後、対物レンズ４のフランジ部４ａを溝段部１ｂに嵌合させて装着し、接着などの適宜手段により固定する。
【００２１】
【発明の効果】
以上のように構成することにより、レンズホルダの切欠部は遮光リングにより封止され、レーザビームの周縁光を完全に遮断することができるので、この周縁光の影響を受けることなく、正確なビームスポットを形成することができる。これにより、レンズホルダに薄肉部の形成を回避しつつ、薄型化された信頼性の高い光ピックアップ装置とすることができるなど、多大の効果を奏するものである。
【図面の簡単な説明】
【図１】本発明のレンズホルダの構成を示す斜視図である。
【図２】本発明のレンズホルダの構成を示す平面図である。
【図３】本発明のレンズホルダの組立状態を示す斜視図である。
【図４】ノート型パソコンの外観の斜視図である。
【図５】ディスク装置の外観の斜視図である。
【図６】光ピックアップ装置の構成の概要を示す平面図である。
【図７】従来のレンズホルダの構成を示す平面図である。
【図８】従来のレンズホルダの構成を示す断面図である。
【符号の説明】
１・・・・・・レンズホルダ
１ａ・・・・・開口
１ｂ・・・・・溝段部
１ｃ・・・・・溝段部
１ｄ・・・・・切欠部
４・・・・・・対物レンズ
４ａ・・・・・フランジ部
Ｒ・・・・・・遮光リング
【図１】
2004296039.tif 000003
【図２】
2004296039.tif 000004
【図３】
2004296039.tif 000005
【図４】
2004296039.tif 000006
【図５】
2004296039.tif 000007
【図６】
2004296039.tif 000008
【図７】
2004296039.tif 000009
【図８】
2004296039.tif 000010